(57)【要約】      （修正有）【課題】薬の服用者に、薬を服用する指定時間を周知することで、薬の服用忘れや二重服用を防止することができる日めくりカレンダーを提供する。【解決手段】日めくりカレンダーは、各日ごとに１枚のページが構成されており、この一枚のページには、日付と曜日などのカレンダー情報エリア１０１と、その日に服用すべき薬を収納する袋を、服用すべき時間帯に合わせて接着する服薬情報エリア１０２から構成されている。服薬情報エリア１０２は、朝、昼、夕、寝る前といった服薬の時間帯ごとに区分された枠１０３が設けられている。薬収納袋は、その服薬時間に対応する枠ごとにまとめて、粘着テープや接着剤などの公知の方法で接着される。また、枠ごとに、薬の名称、説明、注意書きなどの情報が印刷できるエリア１０４が設定されている。【選択図】図１
0003179366.tif 000002
【実用新案登録請求の範囲】
【請求項１】
日めくりカレンダーにおいて、表示された日に服用する薬を収納するための収納袋を接着する領域が表面に設けられたことを特徴とする日めくりカレンダー
【請求項２】
複数の同一サイズの四辺形の用紙上に印刷されたことを特徴とする請求項１に記載の日めくりカレンダー
【請求項３】
上記収納袋を接着する領域は、服用する時間帯に応じて区切られている、請求項１又は２に記載の日めくりカレンダー。
【請求項４】
上記収納袋が接着された各領域には、当該薬に関する情報が記載されている、請求項１から３のいずれかに記載の日めくりカレンダー。
【考案の詳細な説明】
【技術分野】
【０００１】
本考案は、服薬を管理するためのカレンダーに関する。
【背景技術】
【０００２】
これまで服薬を定期的に行うために様々な工夫がされている。
特に高齢者にとって、処方された多数の薬を決められた時間に忘れずに服用すること、また二重服用を防ぐことは大きな課題となっている。
【０００３】
この課題の解決のための技術として、日付や曜日ごとに区切られたピルケース（薬収納容器）が周知である。また、月ごと又は週ごとのカレンダーに薬収納袋を設けることでこの課題を解決しようとする技術も公知である（たとえば、特許文献１、および、特許文献２）。
【先行技術文献】
【特許文献】
【０００４】
【特許文献１】特開２００３−７９４１９
【特許文献２】特開平９−２７２２８１
【考案の概要】
【考案が解決しようとする課題】
【０００５】
カレンダーに薬収納袋を設ける従来技術は、JIS標準用紙（A4サイズ、B4サイズ等）ではない複雑な構造を有していることからいくつかの問題点があった。第一に、製造コストが高額になるため、薬局から顧客に無償で提供することがビジネス的に困難である。一般的にカレンダーは顧客サービスの一環として無償で提供されることが多いが、このような商慣行への対応ができない。
【０００６】
また、薬局が無料で提供できなければ、顧客である薬の服用者自身がカレンダーを所有・管理し、定められた日に薬を収納する作業を行なわなければならないことになるが、これは、（特に高齢の）服用者にとっては負担であり、さらには、薬を間違った袋に収納してしまう危険性があった。
また、高齢者の介護を行う介護ヘルパーなどが、実際に高齢者の方の自宅に伺って服薬する薬を分ける作業を行なうこともあるが、これらの者も薬の専門家ではないし、また現場作業が煩わしく間違えが生じてしまうという問題があった。
【０００７】
前記周知技術であるピルケースについても、服用者自身（あるいは介護ヘルパー）が薬を適切な場所に入れなければならない点は同様であり負担が大きく、薬を間違った場所に入れてしまう危険性があるという同様の問題がある。
【０００８】
また、特許文献２のように週単位で薬を収納する方式では、週末をまたがって薬を購入した場合に、服用者が適切なタイミングで薬を補充しなければならないという負担が生じる。そして、補充を忘れてしまうと、服用を忘れないようにするという発明のそもそもの目的が達成されないことになる。
【０００９】
本考案は上述の課題を解決するためになされたものであって、薬剤師などの薬局の担当者が店頭で印刷し、薬を収納した収納袋を接着し、薬と共にまとめて顧客に提供できる構造の日めくりカレンダーを提供する。
【課題を解決するための手段】
【００１０】
本願考案は、表示された日に服用する薬を収納するための収納袋を接着する領域が表面に設けられたことを特徴とする日めくりカレンダーを提供する。
【００１１】
また、本願考案は、複数の同一サイズの四辺形の用紙上に印刷され、表示された日に服用する薬を収納するための収納袋を接着する領域が表面に設けられたことを特徴とする日めくりカレンダーを提供する。
【００１２】
上記収納袋を接着する領域は、服用する時間帯に応じて区切られていてもよい。
また、上記収納袋が接着された各領域には、当該薬に関する情報が記載されていてもよい。
【００１３】
複数の同一サイズの四辺形の用紙上に印刷され、表示された日に服用する薬を収納するための収納袋が表面に接着されたことを特徴とする日めくりカレンダーを提供する。
【考案の効果】
【００１４】
本願考案によれば、薬局の薬剤師や接客担当者が、店頭で薬収納袋を備えた日めくりカレンダーを印刷し、服用日と服用時間にしたがって収納袋に収納し、カレンダーの各ページの所定の枠に接着した状態で顧客に提供でき、顧客の薬の飲み忘れと二重服用を防止することができる。また、当該日めくりカレンダーの印刷は、特殊な用紙や印刷装置を要せず、安価に行なうことができる。さらに、既存の処方箋データ管理システムのデータを活用して印刷を行なうことで、薬局の薬剤師あるいは接客担当者のデータ入力作業を軽減できる。
【図面の簡単な説明】
【００１５】
【図１】本願考案の一実施形態に係る日めくりカレンダーの一枚のページの正面図である。
【図２】本願考案の一実施形態に係る薬収納袋を付した複数ページから成る日めくりカレンダーの正面図である。
【図３】本願考案の一実施形態に係る日めくりカレンダーを印刷するプログラムの構成の一例である。
【図４】本願考案の一実施形態に係る日めくりカレンダーを使った薬局における業務の流れの一例である。
【考案を実施するための形態】
【００１６】
以下、図面を参照しながら本考案を実施形態の一例を説明する。
なお、本考案はかかる実施形態のみに限定されるものではない。
【００１７】
図１に、一実施形態に係る日めくりカレンダーのページの構造を示す。
日めくりカレンダーは、各日ごとに1枚のページが構成されており、この一枚のページには、日付と曜日などのカレンダー情報エリア（101）と、その日に服用すべき薬を収納する袋を、服用すべき時間帯に合わせて接着する服薬情報エリア（102）から構成されている
服薬情報エリア（102）は、朝、昼、夕、寝る前といった服薬の時間帯ごとに区分された枠（103）が設けられている。薬収納袋は、その服薬時間に対応する枠ごとにまとめて、粘着テープや接着剤などの公知の方法で接着される。
また、枠ごとに、薬の名称、説明、注意書きなどの情報が印刷できるエリアが設定されている（104）。
本実施形態の日めくりカレンダーは、その上部には紐で綴じるための穴（105）、および、経過した日を切り取るためのミシン目（106）が設けられている。また、服用者の氏名を記載する欄（107）が設けられている。当該欄（107）は、薬局の販売者や薬剤師が記入してもよいし、日めくりカレンダー印刷時に自動的に印刷されるようにしてもよい。
【００１８】
図２に本願考案に係る日めくりカレンダーに薬収納袋（201）を接着し、数日分を束ねた形で使用している形態を示す（図２の例では、４月４日の就寝前に飲むべき薬はない）。
通常は、服用者が次に薬局に行くまでの日までの日数分（たとえば、１４日分）のページが綴じ合わされて日めくりカレンダーとして使用される。各ページは、穴に紐を通して綴じる、バインダーにより綴じる、ステープラーで綴じるなどの、一般的な日めくりカレンダーで周知の方法で綴じることができる。図２で見えている最前のページ（４月４日）以外のページ（４月５日、４月６日、および、それ以降）にも、薬の収納袋が服用すべき時間帯ごとに接着されている。
薬を張り付けた状態では、通常の日めくりカレンダーと比較して貼り付けられた薬の厚さ分、全体の厚みが増すが、ページ数（日数）は多くとも数週間分であるため実用上の問題は生じない。その一方で、各ページの間に隙間ができることで、ページをめくりやすくなるという利点も生まれる。
【００１９】
薬の服用者は、本願考案に係る日めくりカレンダーを目に付く場所に設置することで、薬の飲み忘れや二重服用を防ぐことができる。また、万一、特定の日に薬を服用することを忘れた場合でも、日めくりカレンダーをめくる（ページを切り取る）際に気がつくので、薬剤師や医師に迅速に問い合わせ、適切な対応を取ることができる。
【００２０】
本願考案に係る日めくりカレンダーは標準的な用紙（たとえば、ＪＩＳ規格のＡ４サイズやＢ４サイズの用紙）に印刷できるため、印刷のために特殊な印刷機器や用紙を使用する必要はなく、安価に入手可能な標準的プリンタ装置と用紙を使用して行なうことができる。印刷コストが安価なので、薬局が顧客サービスの一環として、薬の販売時に、販売した薬を収納した袋を接着した本願考案に係る日めくりカレンダーを無償で提供することが現実的になる。
【００２１】
さらに、今日の薬局で広く使用されている処方箋を管理するためのコンピュータ・システムは、薬の服用者、薬の服用日、時間、服用方法、薬の写真、その他の注意事項（たとえば、白湯で服用する等）に関するデータを管理している。図３に示すように、その処方箋データを活用して、薬局の担当者による追加のデータ入力なしに、服用すべき薬品名、服用方法、薬の写真、その他の注意事項、服用者の氏名等の情報を本考案に係る日めくりカレンダーに自動的に印刷することが可能である。
これにより、服用者は、自分が処方された薬の情報や、薬の写真や名前により本当にだたし薬が貼り付けられているかを確認して服用することができる。また薬局は、金銭的および作業的な負担をほとんど増すことなく、本願考案に係る日めくりカレンダーを顧客に提供し、顧客サービスを向上することができる。さらに、薬局や薬の宣伝コピー文などの追加の情報を日めくりカレンダー上に印刷し、さらに宣伝広告効果と顧客サービスの向上を達成することができる。
【００２２】
図４に薬局の業務において、本願考案に係る日めくりカレンダーの様式を印刷し、薬を収納した袋を接着し、束ねた上で、顧客（薬の服用者）に提供するまでの作業の流れを示す。本願考案に係る日めくりカレンダーを使用することで、服用者自身が薬をカレンダー上の対応する袋に正しく収納するという作業が不要になり、専門家である薬剤師や薬局店員が販売時点で薬を適切に収納し、日めくりカレンダーのページ上に接着した状態で綴じた、日めくりカレンダーをまとめて顧客に手渡すことができる。ここで、処方箋管理のコンピュータ・システムのデータを利用することで、本願考案に係る日めくりカレンダーに印刷すべき情報を自動的に取得し、薬剤師や薬局店員による追加のデータ入力作業を軽減できる。また、印刷は標準的な四辺形の用紙を使用することができるため、安価なプリンタ装置を利用することができ、顧客に無料サービスとして提供しても、薬局の負担は最小限で済む。
【図１】
0003179366.tif 000003
【図２】
0003179366.tif 000004
【図３】
0003179366.tif 000005
【図４】
0003179366.tif 000006
【手続補正書】
【提出日】平成24年8月28日(2012.8.28)
【手続補正１】
【補正対象書類名】実用新案登録請求の範囲
【補正対象項目名】全文
【補正方法】変更
【補正の内容】
【実用新案登録請求の範囲】
【請求項１】
日めくりカレンダーにおいて、表示された日に服用する薬を収納するための収納袋が表面に接着されている、
ことを特徴とする日めくりカレンダー。
【請求項２】
日めくりカレンダーにおいて、表面の上部に日付と曜日が表示され、表面の下部に表示された日に服用する薬を収納するための収納袋を接着する領域が設けられている、
ことを特徴とする日めくりカレンダー。
【請求項３】
上記収納袋が接着される各領域は服用する時間帯に応じて区切られている、請求項１又は２に記載の日めくりカレンダー。
【請求項４】
上記収納袋が接着される各領域は当該薬に関する情報が記載されている、
請求項１から３のいずれかに記載の日めくりカレンダー。